(57)【要約】【課題】ＵＳＢメモリ等の外部記憶装置を挿入抜脱する際に、誤って電源スイッチが操作されるのを防止することができるようにする。【解決手段】筆記を行う板面を備える筆記媒体と、該筆記媒体上に描画された描画対象を読み取る読取装置と、読み取った描画データを取り外し可能な外部記憶媒体に出力するデータポートと、各部に対する電力供給のオンオフ操作を行う操作部を有する電源スイッチと、を備え、データポートに取り付けられた外部記憶媒体は、電源スイッチの操作部より手前側に突出する。【選択図】図５
2011126289.tif 000002
【特許請求の範囲】
【請求項１】
筆記を行う板面を備える筆記媒体と、
該筆記媒体上に描画された描画対象を読み取る読取装置と、
読み取った描画データを取り外し可能な外部記憶媒体に出力するデータポートと、
各部に対する電力供給のオンオフ操作を行う操作部を有する電源スイッチと、
を備え、
前記データポートに取り付けられた前記外部記憶媒体は、前記電源スイッチの操作部より手前側に突出する、
ことを特徴とする電子黒板。
【請求項２】
前記筆記媒体の板面より突出する突出部をさらに備え、
前記データポートは、前記突出部に設けられたことを特徴とする請求項１記載の電子黒板。
【請求項３】
前記電源スイッチ及び前記データポートは、前記筆記媒体の下縁に配置される下側棚部と、前記筆記媒体の１側縁部に形成される側縁部とを接続するコーナ部材に配置されていることを特徴とする請求項１または２記載の電子黒板。
【発明の詳細な説明】
【技術分野】
【０００１】
本発明の実施形態は、電子黒板に関する。
【背景技術】
【０００２】
電子黒板として、外部記憶装置に筆記面に描かれた文字、図形等の描画対象を描画データとして格納できるものがある。図８は従来の電子黒板を示す斜視図である。この電子黒板５００は、スタンド５０１，５０１で立設される長方形のフレーム５１０の前面開口に文字、図形等の描画対象を描く筆記面５０３を形成したエンドレス上のシート材５０２を配置し、シート材５０２に描かれた描画を光学的に読み取り、読み取られた描画対象に対応する描画データを出力する光学的読取部（図示していない）を備え、プリンタ５０4で用紙にシート材に描かれた文字、図形等の描画対象を印刷する。また、電子黒板５００は、光学的読取部で読み取られた描画データをプリンタ５０４で印刷する一方、描画データをＵＳＢ（Ｕｎｉｖｅｒｓａｌ  Ｓｅｒｉａｌ  Ｂｕｓ）メモリ等の外部記憶装置に格納する。従来、このようなＵＳＢポート５０８を前記プリンタ５０４の前側面に設けたものがある。
【０００３】
特許文献１には、電子黒板装置として、文字、図形等の描画対象を描くためのシート材と、シート材に描かれた描画対象を光学的に読み取り、読み取られた描画対象に対応する描画データを出力する光学的読取部と、光学的読取部からの描画データを記憶するメモリと、メモリに記憶された描画データに基づき描画対象に対応する外部出力を提供する外部出力部とを有し、外部出力部は、着脱可能に取り付けられた汎用性のある外部記録媒体を含み、外部記録媒体には外部出力としての画像データが記憶されるものが開示されている。
【０００４】
また、特許文献２には、外部出力部として、ＵＳＢ端子を採用することができ、外部記録媒体としてＵＳＢメモリを使用することができる情報処理システムが開示されている。
【発明の概要】
【発明が解決しようとする課題】
【０００５】
ところで、上述した従来の電子黒板においては、外部記憶装置であるＵＳＢメモリが接続されるＵＳＢポートの配置位置は、描画データの取り込みがしやすい個所、例えばプリンタに設けられている。このため、ＵＳＢメモリの取り扱いについては必ずしも利便性に優れるものではない。
【０００６】
即ち、ＵＳＢメモリの取り付けに際してＵＳＢポートの位置が一見して認識できなかったり、電子黒板の使用後においてＵＳＢポートに差し込んだＵＳＢメモリを取り外すのを忘れたりすることがあるのである。
【課題を解決するための手段】
【０００７】
実施形態の電子黒板は、筆記を行う板面を備える筆記媒体と、該筆記媒体上に描画された描画対象を読み取る読取装置と、読み取った描画データを取り外し可能な外部記憶媒体に出力するデータポートと、各部に対する電力供給のオンオフ操作を行う操作部を有する電源スイッチと、を備え、前記データポートに取り付けられた前記外部記憶媒体は、前記電源スイッチの操作部より手前側に突出する。
【図面の簡単な説明】
【０００８】
【図１】図１は、実施形態の電子黒板を示す斜視図である。
【図２】図２は、電子黒板の内部構造を概略的に示す平面図である
【図３】図３は、電子黒板の内部を概略的に示す正面図である。
【図４】図４は、電子黒板のハードウェア構成を示すブロック図である。
【図５】図５は、右下側コーナ部材を示す図であり、（ａ）はＵＳＢメモリの取り付け前の状態を示す斜視図、（ｂ）はＵＳＢメモリを取り付けた状態を示す斜視図である。
【図６】図６は、右下側コーナ部材をＵＳＢポートと電源スイッチと共に示す断面図である。
【図７】図７は、右下側コーナ部材をＵＳＢポートと電源スイッチと共に示す正面図である。
【図８】図８は、従来の電子黒板を示す斜視図である。
【発明を実施するための形態】
【０００９】
以下、実施形態に係る電子黒板を図１乃至図７に基づいて説明する。
【００１０】
図１は、実施の形態に係る電子黒板を示す斜視図である。電子黒板１００は、一対のスタンド１０１，１０１によって長方形のフレーム１１０が支持されている。フレーム１１０はエンドレス状の筆記用のスクリーン１０２を収納し、このスクリーン１０２におけるフレーム１１０の前面側の開口部から外部に露出した部分が、マーカーペン等によって文字や図形等の描画対象が筆記される板面である筆記面１０３となる。スクリーン１０２は一例としてポリエチレン製のものが採用される。また、フレーム１１０の右下には、ＣＣＤラインセンサ３０４（図２及び図３参照）によって読み取られた描画対象を用紙（図示せず）に印刷して発行するためのプリンタ１０４が設けられている。
【００１１】
フレーム１１０は、前記筆記面１０３の上方に位置する上縁部１１１と、筆記面１０３の両側に位置する左側縁部１１２、右側縁部１１３と、筆記面１０３の下方に位置し、手前側に向け突出形成された下側棚部１１４とを備える。
【００１２】
前記上縁部１１１と、前記左側縁部１１２及び右側縁部１１３とは、上縁部１１１の両側に配置された左上側コーナ部材１１５及び右上側コーナ部材１１６を介して接続されている。また、前記下側棚部１１４は、前記左側縁部１１２及び右側縁部１１３の両下方に配置された左下側コーナ部材１１７及び右下側コーナ部材１２０を介して接続されている。
【００１３】
下側棚部１１４は前記筆記面１０３より手前側に突出形成され、マーカーペンやクリーナを配置することができる他、筆記面１０３の描画対象をクリーナで除去した際に発生する消し粉を受ける。
【００１４】
また、フレーム１１０の右側縁部１１３には、電子黒板１００を操作するための各種のキー１０５を有する操作パネル１０６が一体的に設けられている。
【００１５】
さらに、右下側コーナ部材１２０には、電子黒板１００のオンオフ操作を行う電源スイッチ１４１と、ＵＳＢメモリが接続できるデータポートであるＵＳＢポート１４２とが配置されている。
【００１６】
即ち、電源スイッチ１４１は電子黒板１００の正面側に配置され、ＵＳＢポート１４２は電源スイッチ１４１の直上に配置されている。
【００１７】
図２は電子黒板の内部構造を概略的に示す平面図であり、図３は電子黒板の内部を概略的に示す正面図である。
【００１８】
フレーム１１０内の左右両端部にはスクリーン１０２を回転して搬送させる一対のローラ２０１が設けられている。ローラ２０１は上下方向の軸心を有するもので、一対のローラ２０１間にはエンドレス状のスクリーン１０２が掛け渡されて、一方のローラ２０１には図示しないベルト伝動機構を介してモータ２０２（図４参照）が連結されている。そして、モータ２０２が駆動するとベルト伝動機構を介してローラ２０１が回転し、このローラ２０１の回転によりスクリーン１０２が左右方向に回転搬送される。
【００１９】
また、スクリーン１０２の筆記面１０３のすぐ背後には、筆記面１０３に対する筆記性を確保するための筆記ボード２５１が配設されている。
【００２０】
そして、スクリーン１０２の筆記面１０３と反対側（以下、スクリーン１０２の背面側と称する）には、筆記面１０３に筆記された文字、図形等の描画対象を描画データとして読み取るための読取部２０３が設けられており、この読取部２０３は、スクリーン１０２の背面側であって一方のローラ２０１側に位置させてスクリーン１０２に光を照射するための例えば蛍光灯３１１からなる光源３０１を有している。
【００２１】
さらに、電子黒板１００は、読取部２０３の一部として、ミラー３０２及びレンズ３０３を有し光源３０１が照射してスクリーン１０２により反射された光を集光する縮小光学系である光学系３０５と、光学系３０５により集光された光を受光するＣＣＤラインセンサ３０４とを備えている。
【００２２】
図４は電子黒板のハードウェア構成を示すブロック図である。電子黒板１００は、各種の動作を制御するＣＰＵ４０１を備えており、このＣＰＵ４０１には、制御プログラム等の固定データを記憶するＲＯＭ４０２と、各種データを一時的に記憶しワークエリアとして使用されるＲＡＭ４０３とがバスライン４１１を介して接続されている。また、ＣＰＵ４０１には、プリンタ１０４、操作パネル１０６、モータ２０２がそれぞれ入出力回路（いずれも図示せず）とバスライン４１１とを介して接続されている。
【００２３】
また、ＣＰＵ４０１には、光源３０１に接続されてこの光源３０１の点灯を制御する点灯回路４０５がバスライン４１１を介して接続されている。
【００２４】
さらに、ＣＰＵ４０１には、ＣＣＤラインセンサ３０４に接続されてこのＣＣＤラインセンサ３０４によって読み取られた描画データを印刷データ（例えばＧＩＦ形式のデータ）の状態に変換処理する画像処理部４０４がバスライン４１１を介して接続されている。画像処理部４０４は、各種処理回路や各種処理実行時に参照される設定内容が格納されたメモリ部（いずれも図示せず）等により構成されている。
【００２５】
また、ＣＰＵ４０１には、バスライン４１１とＵＳＢコントローラ４０６とを介してＵＳＢポート１４２が接続されている。
さらに、電子黒板１００には、図４に示すように、各部に電力を供給する電源装置を制御する電源制御部４０８が配置されており、電源スイッチ１４１により電源制御部４０８を操作して電子黒板１００のオンオフ操作を行う。
【００２６】
このような構成において、電子黒板１００では、操作パネル１０６が有する所定のキー１０５が押下された場合、ＲＯＭ４０２に格納された制御プログラムに従いＣＰＵ４０１によりプリンタ１０４の印刷処理が実行される。まず、点灯回路４０５の動作により光源３０１が点灯して、モータ２０２が回転駆動する。これにより、スクリーン１０２の筆記面１０３に光を照射する。そして、光学系３０５が筆記面１０３からの反射光を集光して、集光された光をＣＣＤラインセンサ３０４が１ライン毎に受光することで筆記面１０３に筆記された文字、図形等の描画対象は描画データとして読み取られる。読み取られた描画データは画像処理部４０４で印刷データに変換されてＲＡＭ４０３に記憶される。そして、プリンタ１０４の駆動制御によりＲＡＭ４０３に記憶された印刷データに基づく画像が用紙に印刷され、用紙は排出される。
【００２７】
また、電子黒板１００では、操作パネル１０６が有する所定のキー１０５が押下された場合ＲＡＭ４０３に記憶された例えばＧＩＦ形式の描画データが、ＵＳＢコントローラ４０６を介してＵＳＢポート１４２からＵＳＢメモリ１５０に格納される。
【００２８】
次に電源スイッチ１４１とＵＳＢポート１４２とが配置される右下側コーナ部材１２０について説明する。
【００２９】
図５は右下側コーナ部材を示すものであり、（ａ）はＵＳＢメモリの取り付け前の状態を示す斜視図、（ｂ）はＵＳＢメモリを取り付けた状態を示す斜視図、図６は右下側コーナ部材をＵＳＢポートと電源スイッチと共に示す断面図、図７は右下側コーナ部材をＵＳＢポートと電源スイッチと共に示す正面図である。
【００３０】
右下側コーナ部材１２０は、合成樹脂で一体成型された部材であり、前記電源スイッチ１４１とＵＳＢポート１４２が配置される。右下側コーナ部材１２０は、前記フレーム１１０より手前側（操作者側：図６中左側）に突出形成される突設部１２１と、突設部１２１の上側に形成され、前記右側縁部１１３の下端が接続される上側接続部１２２と、突設部１２１の左側に形成され、前記下側棚部１１４の右端が接続される左側接続部１２３とからなる。図中符号１２９は、左側縁部１１２から延設された右側縁部１１３接続用の突片を示している。
【００３１】
右下側コーナ部材１２０の突設部１２１には、電源スイッチ１４１が設置される電源スイッチ設置部１２４が形成されている。電源スイッチ１４１は右下側コーナ部材１２０の内部から取り付けられ、その操作部１４１ａが前記電源スイッチ設置部１２４が外方に向け突出するように配置される。また、この電源スイッチ設置部１２４は、図６に示すようにその表面の位置ｂがスクリーン１０２の位置ａより手前側（同）になるように形成されている。
【００３２】
電源スイッチ設置部１２４の直上部には、ＵＳＢポート１４２が設置されるＵＳＢポート設置部１２５が形成されている。ＵＳＢポート設置部１２５は、突出部である周囲壁部１２７の奥側端部に形成され、周囲壁部１２７はその内部にＵＳＢメモリの周囲を覆う挿入空間部１２６を形成している。
【００３３】
ＵＳＢポート１４２はその前端面１４２ａをＵＳＢポート設置部１２５に接触して配置され、ＵＳＢポート１４２の端子挿入孔１４３が挿入空間部１２６の奥側に開口する。
【００３４】
また、図６に示すように、周囲壁部１２７の前側端部の位置ｃは、前記電源スイッチ設置部１２４の表面の位置ｂより手前側（同）になるように形成される。
【００３５】
ＵＳＢメモリ１５０は、図５（ｂ）に示すように、接続端子１５１を端子挿入孔１４３に接続された状態で、その接続端子１５１側を挿入空間部１２６に挿入された状態となる。
【００３６】
従って、本形態に係る電子黒板１００によれば、電子黒板１００を使用開始、使用終了時に操作する電源スイッチ１４１の直上にＵＳＢポート１４２を配置するようにしたので、電子黒板１００の使用開始時においてＵＳＢメモリの接続ポートを確実に認識できる他、電子黒板１００の使用終了時には接続した外部記憶装置の取り外し忘れを防止することができる。
【００３７】
また、ＵＳＢメモリ１５０を挿入する際、手指が接触する周囲壁部１２７の手前側端部を電源スイッチ１４１より手前側に配置しているから、ＵＳＢメモリを挿入抜脱する際に、誤って電源スイッチ１４１が操作されるのを防止することができる。
【００３８】
また、筆記面１０３にマーカーペンで記載した文字、図形等の描画対象を消去したときに発生する消し粉が電源スイッチやＵＳＢポート内に入り込むことを防止できる。
【符号の説明】
【００３９】
１００      電子黒板
１０２      スクリーン（筆記媒体）
１０３      筆記面（板面）
１１３      右側縁部（側縁部）
１１４      下側棚部
１２０      右下側コーナ部材（コーナ部材）
１２７      周囲壁部（突出部）
１４１      電源スイッチ
１４２      ＵＳＢポート（データポート）
１５０      ＵＳＢメモリ（外部記憶媒体）
【先行技術文献】
【特許文献】
【００４０】
【特許文献１】特開２００４−１５６１９号公報
【特許文献２】特開２００６−１２０４０号公報
【図１】
2011126289.tif 000003
【図２】
2011126289.tif 000004
【図３】
2011126289.tif 000005
【図４】
2011126289.tif 000006
【図５】
2011126289.tif 000007
【図６】
2011126289.tif 000008
【図７】
2011126289.tif 000009
【図８】
2011126289.tif 000010